【手続補正書】
【提出日】平成18年3月9日(2006.3.9)
【手続補正１】
【補正対象書類名】特許請求の範囲
【補正対象項目名】全文
【補正方法】変更
【補正の内容】
【特許請求の範囲】
【請求項１】
ベルト巻取り機であって、ハウジング（１０）、車両及び／又はベルトに感応してハウジング側拘束歯へ導入可能な少なくとも１つの拘束手段（２５）を持つベルト軸（１２）用拘束装置（２３）、及び駆動装置（５１）を介して回転せしめられる駆動歯車（１３）から成りかつベルト軸（１２）へ作用する緊張装置を有し、緊張装置の始動の際駆動歯車（１３）がベルト軸（１２）に連結可能であり、緊張装置の駆動歯車（１３）が、ベルト軸（１２）用拘束装置（２３）を介して、力を伝達するようにベルト軸（１２）に結合可能であり、駆動装置の始動前に駆動歯車（１３）が、ベルト巻取り機のハウジング（１０）に力を伝達するように固定されているものにおいて、駆動歯車（１３）が、ベルト軸（１２）に支持される拘束装置（２３）の拘束手段（２５）に係合するようになっている内歯（４０）を持ち、それにより拘束歯として作用し、環状に構成される駆動歯車（１３）が、内歯（４０）に加えて、ばね力により外歯（２０）に可撓的に係合してハウジング（１０）に支持される少なくとも１つの拘束爪（２１）に係合するための外歯（２０）を持ち、緊張装置の始動の際行われる駆動歯車（１３）の回転により、駆動歯車（１３）がハウジング（１０）から釈放可能であり、かつ拘束装置の拘束手段（２５）を介して力を伝達するようにベルト軸（１２）と結合可能であることを特徴とする、戻り止めベルト巻取り機。
【請求項２】
駆動歯車（１３）の拘束歯（２０）と拘束爪（２１）とが互いに方向づけられて、ベルト巻戻し方向における駆動歯車（１３）の回転が常に拘束を行い、ベルト巻取り方向への駆動歯車（１３）の回転が、駆動歯車（１３）の拘束歯（２０）を越える拘束爪（２１）の乗り越え滑りにより可能にされることを特徴とする、請求項１に記載のベルト巻取り機。
【請求項３】
駆動歯車（１３）が、拘束装置（２３）の拘束手段（２５）を介して直接に、ベルト軸（１２）に結合可能であることを特徴とする、請求項１又は２に記載のベルト巻取り機。
【請求項４】
ベルト軸（１２）用拘束装置（２３）が、ベルト拘束を行う拘束手段（２５）に加えて、拘束装置（２３）に支持されかつ駆動歯車（１３）により駆動可能で駆動歯車（１３）を拘束装置（２３）に連結する爪を持っていることを特徴とする、請求項１に記載のベルト巻取り機。
【請求項５】
拘束爪（２１）が、ハウジング（１０）のＵ脚辺（１１）の側方にそのそばに設けられ、ねじりばね（２２）による予荷重を受けて揺動可能に支持されていることを特徴とする、請求項１〜４の１つに記載のベルト巻取り機。
【請求項６】
拘束爪（２１）が、Ｕ脚辺（１１）の面内で、このＵ脚辺に設けられる切欠き（６０）に設けられ、かつ切欠き（６０）において揺動可能に支持され、拘束爪（２１）と切欠きの縁との間に板ばね（６１）が設けられていることを特徴とする、請求項１又は２に記載のベルト巻取り機。
【請求項７】
駆動歯車（１３）の周囲において、複数の拘束爪（２１）がベルト巻取り機のハウジング（１０）に設けられていることを特徴とする、請求項１〜６の１つに記載のベルト巻取り機。
【請求項８】
駆動歯車（１３）の外歯として構成される拘束歯（２０）と内歯（４０）が１つの面内に設けられていることを特徴とする、請求項１又は２に記載のベルト巻取り機。
【請求項９】
外歯（２０）が、駆動歯車（１３）の環輪郭から内歯（４０）の歯の突出成形により形成されて、外歯（２０）と内歯（４０）が一体の歯を持つ歯付き部を形成していることを特徴とする、請求項８に記載のベルト巻取り機。
【請求項１０】
内歯（６２）として構成される拘束歯と内歯（４０）が、軸線方向に並んで駆動歯車（１３）の環輪郭に設けられ、ハウジングに固定して支持される拘束爪（２１）が、内側拘束歯（６２）と係合するためＵ字状に形成されていることを特徴とする、請求項１又は２に記載のベルト巻取り機。
【請求項１１】
駆動歯車（１３）が、荷重を受けて破壊可能な拘束手段を介してハウジング（１０）に固定され、駆動運動の終了後、ベルト引出し方向への駆動装置（５１）の逆運動が防止されて、拘束される駆動装置（１５）を介して駆動歯車（１３）が回転不可能に固定され、拘束歯として作用するように、緊張装置の駆動装置（５１）が構成されていることを特徴とする、請求項４に記載のベルト巻取り機。
【請求項１２】
緊張装置により始動されて拘束装置（１３）の拘束手段（２５）を駆動歯車（１３）に連結する駆動素子（６３，７２，４１，７６）が設けられていることを特徴とする、請求項１〜１１の１つに記載のベルト巻取り機。
【請求項１３】
拘束手段（２５）をベルトに感応して制御するため、拘束装置を包囲する慣性質量（２９）が設けられ、ベルト軸（１２）の回転運動に対する慣性質量の相対運動が、拘束手段（２５）を駆動歯車（１３）に係合するように制御することを特徴とする、請求項１〜１２の１つに記載のベルト巻取り機。
【請求項１４】
慣性質量（２９）に拘束歯（３０）が付属し、車両に感応するセンサ（３０）のセンサレバー（３１）がこの拘束歯（３０）に係合可能であることを特徴とする、請求項１３に記載のベルト巻取り機。
【請求項１５】
駆動素子が、慣性質量（２９）の拘束歯（３０）へ導入可能な連結爪（６３）であることを特徴とする、請求項１２〜１４の１つに記載のベルト巻取り機。
【請求項１６】
緊張装置の始動の際連結爪（６３）が、別の爪操作装置により、慣性質量（２９）の拘束歯（３０）に係合するように導入可能であることを特徴とする、請求項１５に記載のベルト巻取り機。
【請求項１７】
爪操作装置が、連結爪（６３）を動かす操作器（６４）として構成されていることを特徴とする、請求項１６に記載のベルト巻取り機。
【請求項１８】
操作器（６４）が電磁石であることを特徴とする、請求項１７に記載のベルト巻取り機。
【請求項１９】
操作器（６４）が圧電素子であることを特徴とする、請求項１７に記載のベルト巻取り機。
【請求項２０】
操作器が火薬で駆動されるピストン装置（６５）であることを特徴とする、請求項１７に記載のベルト巻取り機。
【請求項２１】
ピストン装置（６５）を操作するため、始動可能な別の火薬駆動装置（６６）が設けられていることを特徴とする、請求項２０に記載のベルト巻取り機。
【請求項２２】
ピストン装置（６５）が緊張装置の火薬駆動装置（６８）に結合され、その作用を受けることができることを特徴とする、請求項２０に記載のベルト巻取り機。
【請求項２３】
駆動素子が、駆動歯車（１３）に支持されかつハウジング部分（７０）を介して強制案内される連行レバー（７２）であり、駆動歯車（１３）の回転の際この連行レバー（７２）が強制制御されて、拘束手段（２５）用の慣性制御される制御円板（７１）の拘束歯（７４）に係合し、制御円板（７１）によって行われる駆動歯車（１３）による拘束手段（２５）の鎖錠に続いて、制御円板（７１）との係合を解除されることを特徴とする、請求項１２に記載のベルト巻取り機。
【請求項２４】
制御円板（７１）が、駆動歯車（１３）を包囲するハウジング蓋（７０）の外側で、ベルト軸の延長部（７５）上に設けられ、ハウジング蓋（７０）に、ハウジング蓋（７０）を貫通する連行レバー（７２）を強制案内するための結合リンク案内部（７３）が形成されていることを特徴とする、請求項２３に記載のベルト巻取り機。
【請求項２５】
輪郭頭部（２３）に対する制御円板（７１）の相対回転により行われる拘束爪（２５）の制御の終了後、連行レバー（７２）が駆動歯車（１３）の内歯（４０）と係合してせん断されるように、結合リンク案内部（７３）が構成されていることを特徴とする、請求項２４に記載のベルト巻取り機。
【請求項２６】
駆動素子が、鉢状慣性質量（２９）内へ延びて駆動歯車（１３）に結合される連行部分（３７）に揺動可能に支持される連結爪（４１）であり、この連結爪（４１）が、鉢状慣性質量（２９）の内側に形成される内歯（３６）に係合して制御可能であることを特徴とする、請求項１２〜１４の１つに記載のベルト巻取り機。
【請求項２７】
連結爪（４１）が、連行部分（３７）に保持される保持ばね（４４）に揺動可能に支持されていることを特徴とする、請求項２６に記載のベルト巻取り機。
【請求項２８】
保持ばね（４４）が、連結爪（４１）を休止位置で固定する少なくとも１つのばね腕（４５）を持っていることを特徴とする、請求項２７に記載のベルト巻取り機。
【請求項２９】
駆動素子が、駆動運動の始めに緊張装置の駆動装置（５１）により鉢状慣性質量（２９）の内側に形成される内歯（３６）へ導入可能な連結部材（７６）から成っていることを特徴とする、請求項１２〜１４の１つに記載のベルト巻取り機。
【請求項３０】
連結部材が、駆動装置（５１）の作用で駆動歯車（１３）に縦方向移動可能に設けられるピン（７６）から成り、このピン（７６）が縦方向移動により慣性質量（２９）の内歯（３６）に係合することを特徴とする、請求項２９に記載のベルト巻取り機。
【請求項３１】
駆動歯車（１３）が、その拘束歯（２０）を、ベルト巻取り機のハウジング（１０）のＵ脚辺（１１）の外側に設けられ、拘束爪（２１）がＵ脚辺（１１）の外側に支持されていることを特徴とする、請求項１〜３０の１つに記載のベルト巻取り機。
【請求項３２】
駆動歯車（１３）が、ベルト巻取り機のＵ字状ハウジング（１０）の外に設けられる駆動装置（５１）と共同作用する範囲を、Ｕ脚辺（１１）の外側に設けられ、拘束歯（２０）を持つ延長部（１７）で、Ｕ脚辺（１１）の支持開口（５２）を貫通し、拘束爪（２１）がＵ脚辺（１１）の内側に支持されていることを特徴とする、請求項１〜３０の１つに記載のベルト巻取り機。
【請求項３３】
ハウジング（１０）のＵ脚辺（１１）を貫通する駆動歯車（１３）の延長部（１７）が、駆動歯車（１３）の回転のための回転支持体を形成していることを特徴とする、請求項３２に記載のベルト巻取り機。
【請求項３４】
一方ではベルト軸に結合され他方では拘束装置の拘束手段を保持するねじり棒から成る力限定装置を有するものにおいて、ねじり棒が、拘束手段（２５）を保持しかつ慣性質量（２９）により包囲される輪郭頭部（２３）を持っていることを特徴とする、請求項１〜３３の１つに記載のベルト巻取り機。
【請求項３５】
輪郭頭部（２３）が、別の結合手段を介してベルト軸（１２）に結合されていることを特徴とする、請求項３４に記載のベルト巻取り機。